【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
ユーザ入力デバイスがユーザ機器を制御することを防止するための方法であって、前記方法は、
通信パスを経由して、前記ユーザ機器によって、前記ユーザ機器に対する前記ユーザ入力デバイスによる制御を制限する第１の要求を示すデータを受信することと、
前記第１の要求を受信することに基づいて、前記ユーザ機器によって、前記ユーザ入力デバイスからのコマンドを無視することであって、前記コマンドは、前記ユーザ機器の設定を改変することを意図されている、ことと、
前記第１の要求を受信することに続いて、前記通信パスを経由して、前記ユーザ機器によって、前記ユーザ機器に対する前記ユーザ入力デバイスによる制御を回復する第２の要求を示すデータを受信することと
を含む、方法。
【請求項２】
前記ユーザ機器によって、前記ユーザ入力デバイスからの第２のコマンドを受信することであって、前記第２のコマンドは、前記ユーザ機器の第２の設定を改変することを意図されている、ことと、
前記第２の要求および前記第２のコマンドを受信することに基づいて、前記ユーザ機器によって、前記ユーザ機器の第２の設定を改変することと
をさらに含む、請求項１に記載の方法。
【請求項３】
前記第１の要求を受信することに応答して、前記ユーザ機器に結合される受信機回路を非アクティブ化することであって、前記受信機回路は、第２の通信パスを経由して前記ユーザ入力デバイスからコマンドを受信するために使用可能である、こと
をさらに含む、請求項１〜２のいずれかに記載の方法。
【請求項４】
前記ユーザ入力デバイスからのコマンドを無視することは、
第１のユーザの身元を決定することであって、前記第１の要求は、前記第１のユーザから受信される入力を備える、ことと、
前記第１のユーザの身元に基づいて、前記第１のユーザが制御を制限する権限を与えられていることを決定することと、
前記第１のユーザが制御を制限する権限を与えられていることを決定することに応答して、前記ユーザ入力デバイスからの前記コマンドを無視することと
を含む、請求項１〜３のいずれかに記載の方法。
【請求項５】
前記第１のユーザの身元を決定することは、音声パターン認識を前記第１のユーザから受信される言葉による入力に適用すること、および顔認識技法を前記第１のユーザの画像に適用することのうちの少なくとも１つを含む、請求項４に記載の方法。
【請求項６】
第２のユーザの身元を決定することであって、前記第２の要求は、前記第２のユーザから受信される入力を備え、前記第２のユーザは、前記第１のユーザと異なる、ことと、
前記第２のユーザの身元に基づいて、前記第２のユーザが制御を回復する権限を与えられていることを決定することと
をさらに含む、請求項４〜５のいずれかに記載の方法。
【請求項７】
前記第１の要求を受信することに基づいて、ユーザ機器に結合されるディスプレイ上に表示するために、前記ユーザ入力デバイスが前記ユーザ機器を制御することを防止されているという視覚インジケータを生成すること
をさらに含む、請求項１〜６のいずれかに記載の方法。
【請求項８】
無視されるユーザコマンドの１つ以上の性質を識別する規則を前記ユーザ機器に記憶することと、
前記ユーザ入力デバイスからの前記第１のコマンドを前記規則と比較することと、
前記第１のコマンドの性質が前記規則の性質に合致する場合、前記ユーザ入力デバイスからの前記第１のコマンドを無視することと
をさらに含む、請求項１〜７のいずれかに記載の方法。
【請求項９】
ユーザ入力デバイスがユーザ機器を制御することを防止するためのシステムであって、前記システムは、請求項１〜８のいずれかに記載の方法を実行するように構成される制御回路を備える、システム。
【請求項１０】
ユーザ入力デバイスがユーザ機器を制御することを防止するための非一過性のコンピュータ可読命令を有する非一過性のコンピュータ可読媒体であって、前記非一過性のコンピュータ可読命令は、その上にエンコードされ、前記非一過性のコンピュータ可読命令は、制御回路によって実行されると、請求項１〜８のいずれかに記載の方法を前記制御回路に実施させる、非一過性のコンピュータ可読媒体。
【手続補正２】
【補正対象書類名】明細書
【補正対象項目名】００１５
【補正方法】変更
【補正の内容】
【００１５】
いくつかの実施形態では、ユーザ機器は、無視されるユーザコマンドの１つ以上の性質を識別する規則をユーザ機器に記憶する。ユーザ機器がユーザ入力デバイスから第１のコマンドを受信するとき、第１のコマンドを規則と比較し、第１のコマンドの性質が規則の性質に合致する場合、ユーザ入力デバイスからの第１のコマンドを無視する。例えば、規則が、音量を変更する全ての要求が無視されることを示し、ユーザ機器が音量を増加させるコマンドを受信する場合、ユーザ機器は、コマンドを規則と比較し、要求されたコマンドが制限されるコマンドを示す規則に合致することを決定した後、コマンドを無視する。
本発明は、例えば、以下を提供する。
（項目１）
ユーザ入力デバイスがユーザ機器を制御することを防止するための方法であって、前記方法は、
通信パスを経由して、前記ユーザ機器によって、前記ユーザ機器に対する前記ユーザ入力デバイスによる制御を制限する第１の要求を示すデータを受信することと、
前記第１の要求を受信することに基づいて、前記ユーザ機器によって、前記ユーザ入力デバイスからのコマンドを無視することであって、前記コマンドは、前記ユーザ機器の設定を改変することを意図されている、ことと、
前記第１の要求を受信することに続いて、前記通信パスを経由して、前記ユーザ機器によって、前記ユーザ機器に対する前記ユーザ入力デバイスによる制御を回復する第２の要求を示すデータを受信することと
を含む、方法。
（項目２）
ユーザ入力デバイスがユーザ機器を制御することを防止するための方法であって、前記方法は、
第１の通信パスを経由して、前記ユーザ機器によって、前記ユーザ機器に対する前記ユーザ入力デバイスによる制御を制限する第１の要求を示すデータを受信することと、
前記第１の要求を受信することに基づいて、前記ユーザ機器によって、前記ユーザ入力デバイスからの第１のコマンドを無視することであって、前記第１のコマンドは、前記ユーザ機器の第１の設定を改変することを意図されている、ことと、
前記第１の要求を受信することに続いて、前記第１の通信パスを経由して、前記ユーザ機器によって、前記ユーザ機器に対する前記ユーザ入力デバイスによる制御を回復する第２の要求を示すデータを受信することと、
前記ユーザ機器によって、前記ユーザ入力デバイスからの第２のコマンドを受信することであって、前記第２のコマンドは、前記ユーザ機器の第２の設定を改変することを意図されている、ことと、
前記第２の要求および前記第２のコマンドを受信することに基づいて、前記ユーザ機器によって、前記ユーザ機器の第２の設定を改変することと
を含む、方法。
（項目３）
前記第１の要求は、ユーザから受信される１つ以上の言葉によるコマンドを備える、項目２に記載の方法。
（項目４）
前記第１の通信パスは、ローカルエリアネットワークを備え、前記第１の要求および前記第２の要求は、ネットワーク接続されたユーザデバイスから受信される、項目２に記載の方法。
（項目５）
前記第１の要求を受信することに応答して、前記ユーザ機器に結合される受信機回路を非アクティブ化することであって、前記受信機回路は、第２の通信パスを経由して前記ユーザ入力デバイスからコマンドを受信するために使用可能である、こと
をさらに含む、項目２に記載の方法。
（項目６）
前記受信機回路は、赤外線センサ、高周波センサ、およびセンサを動作させるための回路のうちの少なくとも１つを備える、項目５に記載の方法。
（項目７）
前記ユーザ入力デバイスからの第１のコマンドを無視することは、
第１のユーザの身元を決定することであって、前記第１の要求は、前記第１のユーザから受信される入力を備える、ことと、
前記第１のユーザの身元に基づいて、前記第１のユーザが制御を制限する権限を与えられていることを決定することと、
前記第１のユーザが制御を制限する権限を与えられていることを決定することに応答して、前記ユーザ入力デバイスからの前記第１のコマンドを無視することと
を含む、項目２に記載の方法。
（項目８）
前記第１のユーザの身元を決定することは、音声パターン認識を前記第１のユーザから受信される言葉による入力に適用すること、および顔認識技法を前記第１のユーザの画像に適用することのうちの少なくとも１つを含む、項目７に記載の方法。
（項目９）
第２のユーザの身元を決定することであって、前記第２の要求は、前記第２のユーザから受信される入力を備え、前記第２のユーザは、前記第１のユーザと異なる、ことと、
前記第２のユーザの身元に基づいて、前記第２のユーザが制御を回復する権限を与えられていることを決定することと
をさらに含む、項目７に記載の方法。
（項目１０）
前記第１の要求を受信することに基づいて、ユーザ機器に結合されるディスプレイ上に表示するために、前記ユーザ入力デバイスが前記ユーザ機器を制御することを防止されているという視覚インジケータを生成すること
をさらに含む、項目２に記載の方法。
（項目１１）
無視されるユーザコマンドの１つ以上の性質を識別する規則を前記ユーザ機器に記憶することと、
前記ユーザ入力デバイスからの前記第１のコマンドを前記規則と比較することと、
前記第１のコマンドの性質が前記規則の性質に合致する場合、前記ユーザ入力デバイスからの前記第１のコマンドを無視することと
をさらに含む、項目２に記載の方法。
（項目１２）
ユーザ入力デバイスがユーザ機器を制御することを防止するためのシステムであって、前記システムは、
第１の通信回路であって、
第１の通信パスを経由して、前記ユーザ機器に対する前記ユーザ入力デバイスによる制御を制限する第１の要求を示すデータを受信することと、
前記第１の要求を受信することに続いて、前記第１の通信パスを経由して、前記ユーザ機器に対する前記ユーザ入力デバイスによる制御を回復する第２の要求を示すデータを受信することと
を行うように構成される、第１の通信回路と、
制御回路であって、
前記第１の要求を受信することに基づいて、前記ユーザ入力デバイスからの第１のコマンドを無視することであって、前記第１のコマンドは、前記ユーザ機器の第１の設定を改変することを意図されている、ことと、
前記ユーザ入力デバイスから、前記第２の要求および第２のコマンドを受信することに基づいて、前記ユーザ機器の第２の設定を改変することであって、前記第２のコマンドは、前記ユーザ機器の第２の設定を改変することを意図されている、ことと
を行うように構成される、制御回路と
を備える、システム。
（項目１３）
前記第１の要求は、ユーザから受信される１つ以上の言葉によるコマンドを備える、項目１２に記載のシステム。
（項目１４）
前記第１の通信パスは、ローカルエリアネットワークを備え、前記第１の要求および前記第２の要求は、ネットワーク接続されたユーザデバイスから受信される、項目１２に記載のシステム。
（項目１５）
前記制御回路はさらに、
前記第１の要求を受信することに応答して、前記ユーザ機器に結合される受信機回路を非アクティブ化することであって、前記受信機回路は、第２の通信パスを経由して前記ユーザ入力デバイスからコマンドを受信するために使用可能である、こと
を行うように構成される、項目１２に記載のシステム。
（項目１６）
前記受信機回路は、赤外線センサ、高周波センサ、およびセンサを動作させるための回路のうちの少なくとも１つを備える、項目１５に記載のシステム。
（項目１７）
前記制御回路はさらに、
第１のユーザの身元を決定することであって、前記第１の要求は、前記第１のユーザから受信される入力を備える、ことと、
前記第１のユーザの身元に基づいて、前記第１のユーザが制御を制限する権限を与えられていることを決定することと、
前記第１のユーザが制御を制限する権限を与えられていることを決定することに応答して、前記ユーザ入力デバイスからの前記第１のコマンドを無視することと
を行うように構成される、項目１２に記載のシステム。
（項目１８）
前記第１のユーザの身元を決定することは、音声パターン認識を前記第１のユーザから受信される言葉による入力に適用すること、および顔認識技法を前記第１のユーザの画像に適用することのうちの少なくとも１つを含む、項目１７に記載のシステム。
（項目１９）
前記制御回路はさらに、
第２のユーザの身元を決定することであって、前記第２の要求は、前記第２のユーザから受信される入力を備え、前記第２のユーザは、前記第１のユーザと異なる、ことと、
前記第２のユーザの身元に基づいて、前記第２のユーザが制御を回復する権限を与えられていることを決定することと
を行うように構成される、項目１７に記載のシステム。
（項目２０）
前記制御回路はさらに、ユーザ機器に結合されるディスプレイ上に表示するために、前記ユーザ入力デバイスが前記ユーザ機器を制御することを防止されているという視覚インジケータを生成するように構成される、項目１２に記載のシステム。
（項目２１）
前記制御回路はさらに、
無視されるユーザコマンドの１つ以上の性質を識別する規則を記憶することと、
前記ユーザ入力デバイスからの前記第１のコマンドを前記規則と比較することと、
前記第１のコマンドの性質が前記規則の性質に合致する場合、前記ユーザ入力デバイスからの前記第１のコマンドを無視することと
を行うように構成される、項目１２に記載のシステム。
（項目２２）
ユーザ入力デバイスがユーザ機器を制御することを防止するためのシステムであって、前記システムは、
第１の通信パスを経由して、前記ユーザ機器に対する前記ユーザ入力デバイスによる制御を制限する第１の要求を示すデータを受信するための手段と、
前記第１の要求を受信することに基づいて、前記ユーザ入力デバイスからの第１のコマンドを無視するための手段であって、前記第１のコマンドは、前記ユーザ機器の第１の設定を改変することを意図されている、手段と、
前記第１の要求を受信することに続いて、前記第１の通信パスを経由して、前記ユーザ機器に対する前記ユーザ入力デバイスによる制御を回復する第２の要求を示すデータを受信するための手段と、
前記ユーザ入力デバイスからの第２のコマンドを受信するための手段であって、前記第２のコマンドは、前記ユーザ機器の第２の設定を改変することを意図されている、手段と、
前記第２の要求および前記第２のコマンドを受信することに基づいて、前記ユーザ機器の第２の設定を改変するための手段と
を備える、システム。
（項目２３）
前記第１の要求は、ユーザから受信される１つ以上の言葉によるコマンドを備える、項目２２に記載のシステム。
（項目２４）
前記第１の通信パスは、ローカルエリアネットワークを備え、前記第１の要求および前記第２の要求は、ネットワーク接続されたユーザデバイスから受信される、項目２２に記載のシステム。
（項目２５）
前記第１の要求を受信することに応答して、前記ユーザ機器に結合される受信機回路を非アクティブ化するための手段であって、前記受信機回路は、第２の通信パスを経由して前記ユーザ入力デバイスからコマンドを受信するために使用可能である、手段
をさらに備える、項目２２に記載のシステム。
（項目２６）
前記受信機回路は、赤外線センサ、高周波センサ、およびセンサを動作させるための回路のうちの少なくとも１つを備える、項目２５に記載のシステム。
（項目２７）
前記ユーザ入力デバイスからの第１のコマンドを無視するための前記手段は、
第１のユーザの身元を決定するための手段であって、前記第１の要求は、前記第１のユーザから受信される入力を備える、手段と、
前記第１のユーザの身元に基づいて、前記第１のユーザが制御を制限する権限を与えられていることを決定するための手段と、
前記第１のユーザが制御を制限する権限を与えられていることを決定することに応答して、前記ユーザ入力デバイスからの前記第１のコマンドを無視するための手段と
を備える、項目２２に記載のシステム。
（項目２８）
前記第１のユーザの身元を決定するための前記手段は、音声パターン認識を前記第１のユーザから受信される言葉による入力に適用するための手段、および顔認識技法を前記第１のユーザの画像に適用するための手段のうちの少なくとも１つを備える、項目２７に記載のシステム。
（項目２９）
第２のユーザの身元を決定するための手段であって、前記第２の要求は、前記第２のユーザから受信される入力を備え、前記第２のユーザは、前記第１のユーザと異なる、手段と、
前記第２のユーザの身元に基づいて、前記第２のユーザが制御を回復する権限を与えられていることを決定するための手段と
をさらに備える、項目２７に記載のシステム。
（項目３０）
前記受信機回路を非アクティブ化するための前記手段は、ユーザ機器に結合されるディスプレイ上に表示するために、前記ユーザ入力デバイスが前記ユーザ機器を制御することを防止されているという視覚インジケータを生成するための手段を備える、項目２２に記載のシステム。
（項目３１）
無視されるユーザコマンドの１つ以上の性質を識別する規則を記憶するための手段と、
前記ユーザ入力デバイスからの前記第１のコマンドを前記規則と比較するための手段と、
前記第１のコマンドの性質が前記規則の性質に合致する場合、前記ユーザ入力デバイスからの前記第１のコマンドを無視するための手段と
をさらに備える、項目２２に記載のシステム。
（項目３２）
ユーザ入力デバイスがユーザ機器を制御することを防止するための方法であって、前記方法は、
第１の通信パスを経由して、前記ユーザ機器によって、前記ユーザ機器に対する前記ユーザ入力デバイスによる制御を制限する第１の要求を示すデータを受信することと、
前記第１の要求を受信することに基づいて、前記ユーザ機器によって、前記ユーザ入力デバイスからの第１のコマンドを無視することであって、前記第１のコマンドは、前記ユーザ機器の第１の設定を改変することを意図されている、ことと、
前記第１の要求を受信することに続いて、前記第１の通信パスを経由して、前記ユーザ機器によって、前記ユーザ機器に対する前記ユーザ入力デバイスによる制御を回復する第２の要求を示すデータを受信することと、
前記ユーザ機器によって、前記ユーザ入力デバイスからの第２のコマンドを受信することであって、前記第２のコマンドは、前記ユーザ機器の第２の設定を改変することを意図されている、ことと、
前記第２の要求および前記第２のコマンドを受信することに基づいて、前記ユーザ機器によって、前記ユーザ機器の第２の設定を改変することと
を含む、方法。
（項目３３）
前記第１の要求は、ユーザから受信される１つ以上の言葉によるコマンドを備える、項目３２に記載の方法。
（項目３４）
前記第１の通信パスは、ローカルエリアネットワークを備え、前記第１の要求および前記第２の要求は、ネットワーク接続されたユーザデバイスから受信される、項目３２および３３のいずれかに記載の方法。
（項目３５）
前記第１の要求を受信することに応答して、前記ユーザ機器に結合される受信機回路を非アクティブ化することであって、前記受信機回路は、第２の通信パスを経由して前記ユーザ入力デバイスからコマンドを受信するために使用可能である、こと
をさらに含む、項目３２−３４のいずれかに記載の方法。
（項目３６）
前記受信機回路は、赤外線センサ、高周波センサ、およびセンサを動作させるための回路のうちの少なくとも１つを備える、項目３５に記載の方法。
（項目３７）
前記ユーザ入力デバイスからの第１のコマンドを無視することは、
第１のユーザの身元を決定することであって、前記第１の要求は、前記第１のユーザから受信される入力を備える、ことと、
前記第１のユーザの身元に基づいて、前記第１のユーザが制御を制限する権限を与えられていることを決定することと、
前記第１のユーザが制御を制限する権限を与えられていることを決定することに応答して、前記ユーザ入力デバイスからの前記第１のコマンドを無視することと
を含む、項目３２−３６のいずれかに記載の方法。
（項目３８）
前記第１のユーザの身元を決定することは、音声パターン認識を前記第１のユーザから受信される言葉による入力に適用すること、および顔認識技法を前記第１のユーザの画像に適用することのうちの少なくとも１つを含む、項目３７に記載の方法。
（項目３９）
第２のユーザの身元を決定することであって、前記第２の要求は、前記第２のユーザから受信される入力を備え、前記第２のユーザは、前記第１のユーザと異なる、ことと、
前記第２のユーザの身元に基づいて、前記第２のユーザが制御を回復する権限を与えられていることを決定することと
をさらに含む、項目３７または３８のいずれかに記載の方法。
（項目４０）
前記第１の要求を受信することに基づいて、ユーザ機器に結合されるディスプレイ上に表示するために、前記ユーザ入力デバイスが前記ユーザ機器を制御することを防止されているという視覚インジケータを生成することをさらに含む、項目３２−３９のいずれかに記載の方法。
（項目４１）
無視されるユーザコマンドの１つ以上の性質を識別する規則を前記ユーザ機器に記憶することと、
前記ユーザ入力デバイスからの前記第１のコマンドを前記規則と比較することと、
前記第１のコマンドの性質が前記規則の性質に合致する場合、前記ユーザ入力デバイスからの前記第１のコマンドを無視することと
をさらに含む、項目３２−４０のいずれかに記載の方法。
（項目４２）
ユーザ入力デバイスがユーザ機器を制御することを防止するための複数の命令を記憶する、非一過性のコンピュータ可読媒体であって、前記複数の命令は、
第１の通信パスを経由して、前記ユーザ機器に対する前記ユーザ入力デバイスによる制御を制限する第１の要求を示すデータを受信するための命令と、
前記第１の要求を受信することに基づいて、前記ユーザ入力デバイスからの第１のコマンドを無視するための命令であって、前記第１のコマンドは、前記ユーザ機器の第１の設定を改変することを意図されている、命令と、
前記第１の要求を受信することに続いて、前記第１の通信パスを経由して、前記ユーザ機器に対する前記ユーザ入力デバイスによる制御を回復する第２の要求を示すデータを受信するための命令と、
前記ユーザ入力デバイスからの第２のコマンドを受信するための命令であって、前記第２のコマンドは、前記ユーザ機器の第２の設定を改変することを意図されている、命令と、
前記第２の要求および前記第２のコマンドを受信することに基づいて、前記ユーザ機器の第２の設定を改変するための命令と
を備える、非一過性のコンピュータ可読媒体。
（項目４３）
前記第１の要求は、ユーザから受信される１つ以上の言葉によるコマンドを備える、項目４２に記載の非一過性のコンピュータ可読媒体。
（項目４４）
前記第１の通信パスは、ローカルエリアネットワークを備え、前記第１の要求および前記第２の要求は、ネットワーク接続されたユーザデバイスから受信される、項目４２に記載の非一過性のコンピュータ可読媒体。
（項目４５）
前記第１の要求を受信することに応答して、前記ユーザ機器に結合される受信機回路を非アクティブ化するための命令であって、前記受信機回路は、第２の通信パスを経由して前記ユーザ入力デバイスからコマンドを受信するために使用可能である、命令
をさらに備える、項目４２に記載の非一過性のコンピュータ可読媒体。
（項目４６）
前記受信機回路は、赤外線センサ、高周波センサ、およびセンサを動作させるための回路のうちの少なくとも１つを備える、項目４５に記載の非一過性のコンピュータ可読媒体。
（項目４７）
前記ユーザ入力デバイスからの第１のコマンドを無視するための前記命令は、
第１のユーザの身元を決定するための命令であって、前記第１の要求は、前記第１のユーザから受信される入力を備える、命令と、
前記第１のユーザの身元に基づいて、前記第１のユーザが制御を制限する権限を与えられていることを決定するための命令と、
前記第１のユーザが制御を制限する権限を与えられていることを決定することに応答して、前記ユーザ入力デバイスからの前記第１のコマンドを無視するための命令と
を備える、項目４２に記載の非一過性のコンピュータ可読媒体。
（項目４８）
前記第１のユーザの身元を決定するための前記命令は、音声パターン認識を前記第１のユーザから受信される言葉による入力に適用するための命令、および顔認識技法を前記第１のユーザの画像に適用するための命令のうちの少なくとも１つを備える、項目４７に記載の非一過性のコンピュータ可読媒体。
（項目４９）
第２のユーザの身元を決定するための命令であって、前記第２の要求は、前記第２のユーザから受信される入力を備え、前記第２のユーザは、前記第１のユーザと異なる、命令と、
前記第２のユーザの身元に基づいて、前記第２のユーザが制御を回復する権限を与えられていることを決定するための命令と
をさらに備える、項目４７に記載の非一過性のコンピュータ可読媒体。
（項目５０）
前記受信機回路を非アクティブ化するための前記命令は、ユーザ機器に結合されるディスプレイ上に表示するために、前記ユーザ入力デバイスが前記ユーザ機器を制御することを防止されているという視覚インジケータを生成するための命令を備える、項目４２に記載の非一過性のコンピュータ可読媒体。
（項目５１）
無視されるユーザコマンドの１つ以上の性質を識別する規則を記憶するための命令と、
前記ユーザ入力デバイスからの前記第１のコマンドを前記規則と比較するための命令と、
前記第１のコマンドの性質が前記規則の性質に合致する場合、前記ユーザ入力デバイスからの前記第１のコマンドを無視するための命令と
をさらに備える、項目４２に記載の非一過性のコンピュータ可読媒体。